(57)【要約】【課題】保管時の状態においても部材の斜面部分同士の密着が起こらず，次回の再使用に支障を来さない容器を提供すること。【解決手段】上端が開口した箱体部１１を有する容器本体４と，容器本体４の上に脱着可能に取り付けられる上枠体とを有し，容器本体４に上枠体を取り付けた状態にて，長尺状の収容物を立てた状態で収容する容器において，箱体部１１および上枠体はいずれも，下方が狭く上方が広い斜面体形状であり，容器本体４には，箱体部１１の開口部の外側に形成された本体当接面部１７と，本体当接面部１７の裏面側の位置に形成された，容器本体４から上枠体を取り外して容器本体４同士で段積みしたときに下の容器本体４の本体当接面部１７の表面（おもてめん）に当接することで箱体部１１同士の密着を防ぐ第１ストッパリブ４５とが設けられている。上枠体にも第２ストッパリブが設けられており上枠体同士で段積みしたときの密着が防止されている。【選択図】図４
2020029271.tif 000002
【特許請求の範囲】
【請求項１】
上端が開口した箱体部を有する容器本体と，前記容器本体の上部に脱着可能に取り付けられる上下両端が開口した上枠体とを有し，前記容器本体に前記上枠体を取り付けた状態にて，長尺状の収容物を立てた状態で収容する容器であって，
前記箱体部および前記上枠体はいずれも，下方ほど狭く上方ほど広い斜面体形状であり，
前記容器本体には，
前記箱体部の開口部の外側に形成された本体当接面部と，
前記本体当接面部の裏面側の位置に形成された，前記容器本体から前記上枠体を取り外して容器本体同士で段積みしたときに下の容器本体の本体当接面部の表面（おもてめん）に当接することで箱体部同士の密着を防ぐ第１ストッパリブと，が設けられており，
前記上枠体には，
上端の開口部の外側に形成された表面が平坦な上側当接面部と，
前記上側当接面部の裏面側に形成された，前記上枠体を前記容器本体から取り外して上枠体同士で段積みしたときに下の上枠体の上側当接面部の表面（おもてめん）に当接することで上枠体同士の密着を防ぐ第２ストッパリブと，が設けられていることを特徴とする容器。
【請求項２】
請求項１に記載の容器であって，前記上枠体には，
上端の開口部に沿って上側窓部が形成されており，
前記上側窓部の上辺に沿って，外向きに延びて形成された持ち手リブが設けられていることを特徴とする容器。
【請求項３】
請求項１または請求項２に記載の容器であって，
前記容器本体には，前記本体当接面部の外縁から下向きに延びて形成された，上方ほど狭く下方ほど広い逆斜面体形状の外壁部が設けられていることを特徴とする容器。
【請求項４】
請求項３に記載の容器であって，
前記第１ストッパリブは，前記本体当接面部の裏面と，前記箱体部の外面もしくは前記外壁部の内面とにわたって形成されていることを特徴とする容器。
【請求項５】
請求項３または請求項４に記載の容器であって，前記外壁部には，
前記容器本体から取り外して上下逆さにした前記上枠体の上に前記容器本体を重ねたときに，前記第２ストッパリブに当接することで前記上枠体と前記外壁部との密着を防ぐ底部が形成されていることを特徴とする容器。
【請求項６】
請求項１から請求項５までのいずれか１つに記載の容器であって，前記上枠体は，
下端の開口部の外側に形成された，前記容器本体に前記上枠体を取り付けた状態で前記本体当接面部の上に重なって位置する上枠当接面部と，
前記上枠当接面部の内縁から上方に突出して形成された，前記上枠体を前記容器本体から取り外して前記容器本体に上下逆さに被せた被せ状態にて前記箱体部の開口部の内面側に進入する突出部とを有することを特徴とする容器。
【請求項７】
請求項６に記載の容器のうち請求項３の発明特定事項を有するものであって，
前記外壁部の外形寸法と前記上枠体の内法（うちのり）寸法とが，前記被せ状態にて前記本体当接面部上に前記上枠体の前記上枠当接面部の上面を重ねた際に，前記外壁部の外面と前記上枠体の内面との間に隙間ができる関係になっていることを特徴とする容器。
【発明の詳細な説明】
【技術分野】
【０００１】
本発明は，長尺状の収容物を立てた状態で収容する用途に用いて好適な容器に関する。さらに詳細には，容器本体とその上部に脱着可能に取り付けられる上枠体とにより構成される容器に関するものである。
【背景技術】
【０００２】
従来から，花卉（かき）や傘などの長尺物の収容には，その用途に特化した容器が用いられることがある。特許文献１にその一例が記載されている。同文献の図１に描かれている容器（１）は，下側の容器本体（１０）とその上の上枠体（２０）とにより構成されている。これにより前述のような長尺物を，立てた状態で収容できるようになっている。容器本体（１０）と上枠体（２０）とは脱着可能となっている。そして同文献には，容器（１）の保管時の状態も記載されている。すなわち同文献の図１０には容器本体（１０）の上に上枠体（２０）を逆さに伏せた状態が，図１１には容器本体（１０）同士を重ねた状態が，図１２には上枠体（２０）同士を重ねた状態が，それぞれ描かれている。このうち図１１や図１２の積み重ねでは多段積みも可能である。
【先行技術文献】
【特許文献】
【０００３】
【特許文献１】特開2003-170943号公報
【発明の概要】
【発明が解決しようとする課題】
【０００４】
しかしながら前記した従来の長尺物用の容器には，次のような問題点があった。保管時の状態にすると，部材同士の密着が起こるのである。すなわち特許文献１の図１０〜図１２の状態でそれぞれ，重ねられている容器本体（１０）や上枠体（２０）の斜面部分同士が密着してしまう。このためこれらの状態で長期間保管すると，部材同士を分離しにくくなることがあった。特に，図１１や図１２の積み重ねで多段積みすると，下の段の容器本体（１０）や上枠体（２０）が過重により変形してしまうこともある。これらの問題により次回の再使用に支障が出る場合があった。
【０００５】
本発明は，前記した従来の技術が有する問題点を解決するためになされたものである。すなわちその課題とするところは，保管時の状態においても部材の斜面部分同士の密着が起こらず，次回の再使用に支障を来さない容器を提供することにある。
【課題を解決するための手段】
【０００６】
本発明の一態様における容器は，上端が開口した箱体部を有する容器本体と，容器本体の上部に脱着可能に取り付けられる上下両端が開口した上枠体とを有し，容器本体に上枠体を取り付けた状態にて，長尺状の収容物を立てた状態で収容する容器であって，箱体部および上枠体はいずれも，下方ほど狭く上方ほど広い斜面体形状であり，容器本体には，箱体部の開口部の外側に形成された本体当接面部と，本体当接面部の裏面側の位置に形成された，容器本体から上枠体を取り外して容器本体同士で段積みしたときに下の容器本体の本体当接面部の表面（おもてめん）に当接することで箱体部同士の密着を防ぐ第１ストッパリブと，が設けられており，上枠体には，上端の開口部の外側に形成された表面が平坦な上側当接面部と，上側当接面部の裏面側に形成された，上枠体を容器本体から取り外して上枠体同士で段積みしたときに下の上枠体の上側当接面部の表面（おもてめん）に当接することで上枠体同士の密着を防ぐ第２ストッパリブと，が設けられているものである。
【０００７】
上記態様における容器では，容器本体の上部に上枠体を取り付けた本来の使用状態の他に，容器本体同士あるいは上枠体同士を重ね合わせた保管状態を取ることができる。容器本体同士を重ね合わせた保管状態では，下の容器本体の本体当接面部の表面に，上の容器本体の第１ストッパリブが当接している状態となる。これにより，上下の容器本体の箱体部同士の密着が防止される。ここで第１ストッパリブは，本体当接面部の裏面側の位置に存在するものであるが，本体当接面部の裏面に繋がっていることが必須な訳ではない。上枠体同士を重ね合わせた保管状態では，下の上枠体の上側当接面部の表面に，上の上枠体の第２ストッパリブが当接している状態となる。これにより，上下の上枠体同士の密着が防止される。ここで，上枠体の保管状態では，各上枠体を上下逆さにした状態で重ね合わせることも多々ある。その場合には，下の上枠体の第２ストッパリブに上の上枠体の上側当接面部の表面が当接することとなるが，同じことである。このため，容器本体，上枠体とも，保管状態から容易に単体を取り出して再使用に供することができる。
【０００８】
上記態様の容器ではさらに，上枠体には，上端の開口部に沿って上側窓部が形成されており，上側窓部の上辺に沿って，外向きに延びて形成された持ち手リブが設けられていることが望ましい。このようになっていると，上枠体同士を重ね合わせた保管状態から最上位置の１つの上枠体を取り出す時に，持ち手リブを掴んで持ち上げればよく，容易である。
【０００９】
持ち手リブを有する態様の容器では，上枠体には，上側窓部の上辺の両端の位置にそれぞれ第２ストッパリブが形成されており，持ち手リブは，上側窓部の上辺の両端の第２ストッパリブを結んで形成されていることとすることができる。このようになっていると，持ち手リブの掴みやすさや上枠体における該当箇所の強度上有利である。
【００１０】
上記のいずれかの態様の容器では，容器本体には，本体当接面部の外縁から下向きに延びて形成された，上方ほど狭く下方ほど広い逆斜面体形状の外壁部が設けられていることが望ましい。外壁部は，容器本体を単体で，もしくは上枠体を取り付けた状態で立てておく姿態を安定させるものである。
【００１１】
外壁部を有する態様の容器ではまた，第１ストッパリブは，本体当接面部の裏面と，箱体部の外面もしくは外壁部の内面とにわたって形成されていることが望ましい。このようになっていれば，容器本体における第１ストッパリブおよびその周辺部位の強度上，有利である。
【００１２】
外壁部を有するいずれかの態様の容器ではさらに，外壁部には，容器本体から取り外して上下逆さにした上枠体の上に容器本体を重ねたときに，第２ストッパリブに当接することで上枠体と外壁部との密着を防ぐ底部が形成されていることが望ましい。このようになっていると，上記のような容器本体同士あるいは上枠体同士を重ね合わせた保管状態の他に，上下逆さにした上枠体の上に容器本体を重ねた保管状態をとることもできる。この保管状態では，下の上枠体の第２ストッパリブに，上の容器本体の底部が当接している状態にある。この当接により，上枠体と容器本体の外壁部との密着が防止されている。
【００１３】
上記のいずれかの態様の容器では，上枠体は，下端の開口部の外側に形成された，容器本体に上枠体を取り付けた状態で本体当接面部の上に重なって位置する上枠当接面部と，上枠当接面部の内縁から上方に突出して形成された，上枠体を容器本体から取り外して容器本体に上下逆さに被せた被せ状態にて箱体部の開口部の内面側に進入する突出部とを有することが望ましい。このようになっていると，上枠体を上下逆さにして容器本体の上に重ねた保管状態が安定する。当該保管状態では，上枠体の突出部が下向きになっており，さらに，下の容器本体の箱体部の開口部の内面側に進入した形になっているからである。このため，下の容器本体に対する上の上枠体の水平移動が規制されるからである。
【００１４】
外壁部と突出部とをいずれも有する態様の容器では，外壁部の外形寸法と上枠体の内法（うちのり）寸法とが，被せ状態にて本体当接面部上に上枠体の上枠当接面部の上面を重ねた際に，外壁部の外面と上枠体の内面との間に隙間ができる関係になっていることが望ましい。このようになっていれば，上枠体を上下逆さにして容器本体の上に重ねた保管状態にて，外壁部の外形寸法と上枠体の内法寸法との関係により，容器本体の外壁部と上枠体との密着が防止されるからである。
【発明の効果】
【００１５】
本構成によれば，保管時の状態においても部材の斜面部分同士の密着が起こらず，次回の再使用に支障を来さない容器が提供されている。
【図面の簡単な説明】
【００１６】
【図１】実施の形態に係る容器の全体形状を示す斜視図である。
【図２】実施の形態に係る容器における容器本体を示す斜視図である。
【図３】実施の形態に係る容器における上枠体を示す斜視図である。
【図４】容器本体同士を複数個積み重ねた状態で，さらに縦に切断した状態で示す斜視図である。
【図５】容器本体同士を複数個積み重ねた状態の正面図である。
【図６】逆さにした上枠体同士を複数個積み重ねた状態で，さらに縦に切断した状態で示す斜視図である。
【図７】逆さにした上枠体同士を複数個積み重ねた状態の正面図である。
【図８】逆さにした上枠体を容器本体の上に被せた状態で，さらに縦に切断した状態で示す斜視図である。
【図９】図３の上枠体を縦に半分に切断した状態で示す斜視図である。
【図１０】逆さにした上枠体を容器本体の上に被せた状態の正面図である。
【図１１】図１０に示したものを２段積み重ねた状態を示す斜視図である。
【図１２】逆さにした上枠体の上に容器本体を載せた状態で，さらに縦に切断した状態で示す斜視図である。
【図１３】逆さにした上枠体の上に容器本体を載せた状態の正面図である。
【発明を実施するための形態】
【００１７】
以下，本発明を具体化した実施の形態について，添付図面を参照しつつ詳細に説明する。本形態は，図１に示す容器６０として本発明を具体化したものである。図１の容器６０は，容器本体４と，その上の上枠体６とにより構成されている。上枠体６は，容器本体４の上部に対して脱着可能である。容器６０は，容器本体４と上枠体６とを合わせた全体として縦長の箱状をなしており，長尺物を立てて収容するのに適したものである。なお，容器６０を上方から見ると，コーナー部が丸められた正方形状である。容器本体４と上枠体６とはいずれも，合成樹脂製である。
【００１８】
図２に，容器本体４の単体を示す。容器本体４は，箱体部１１を有している。箱体部１１は，上端が開口した箱状の部分であり，下方がやや狭く上方がやや広い斜面体形状とされている。容器本体４はさらに，外壁部１３を有している。外壁部１３は，箱体部１１の外側に位置し，箱体部１１の斜面体形状とは逆に，上方が狭く下方が広い逆斜面体形状とされている。容器本体４の接地箇所は外壁部１３の底部１４であり，箱体部１１の底部１５は地面からやや浮いている。
【００１９】
容器本体４における箱体部１１と外壁部１３とは，上端部で互いに繋がっており一体となっている。その上端部には，箱体部１１の開口部１６を囲む上向きの平坦面である本体フランジ面１７が形成されている。外壁部１３にはさらに，底部１４寄りの下窓１８と，本体フランジ面１７寄りの上窓１９とが形成されている。外壁部１３のうち下窓１８と上窓１９との間の横方向の部分が，下桟部２１である。また，外壁部１３のうち上窓１９と本体フランジ面１７との間の横方向の部分が，垂れ部２２である。垂れ部２２の一部が，他の部分より凹んだ凹部２４となっている。凹部２４を含めた垂れ部２２は，容器本体４の上端から箱体部１１の外側かつ下方向きに形成されている。
【００２０】
図３に，上枠体６の単体を示す。上枠体６は，上下両端がいずれも開口した角筒状の部材である。上枠体６は，下方が狭く上方が広い斜面体形状とされている点で箱体部１１の形状と共通する。上枠体６の上端には，四隅に位置し表（おもて）面が平坦なトップ当接面部２５が設けられている。トップ当接面部２５は，上枠体６の上端の開口部２６の外側に位置する。上枠体６の下端付近には，開口部２７を囲んでフランジ部２８が形成されている。
【００２１】
上枠体６にはまた，フランジ部２８寄りの下窓２９と，トップ当接面部２５寄りの上窓３１とが形成されている。上枠体６はさらに，フランジ部２８と下窓２９との間の横方向の壁部分である下壁部３２と，下窓２９と上窓３１との間の横方向の壁部分である中壁部３３と，上窓３１とトップ当接面部２５との間の横方向の壁部分である上壁部３４と，を有している。このうちの下壁部３２は，フランジ部２８の外側の縁から上向きに形成されている。さらに，下壁部３２の一部分から下方に向かって，係止部３５が形成されている。
【００２２】
上記の容器６０では，容器本体４に上枠体６を取り付けた図１の状態にて，長尺状の収容物を立てた状態で収容することができる。収容できる長尺状の収容物の例としては，花卉や雨傘等を挙げることができる。なお，容器本体４のみの状態であっても，さほど長くない収容物なら収容可能である。図１の状態では，容器本体４の凹部２４に上枠体６の係止部３５が引っ掛かることで，容器本体４に上枠体６が固定されている。
【００２３】
本形態の容器６０は，図１に示した使用状態の他に，保管状態を取ることができる。以下，容器６０の保管状態について説明する。容器６０の保管状態には，３通りの状態がある。第１の保管状態は，容器本体４同士を多数積み重ねた状態である。第２の保管状態は，上枠体６同士を多数積み重ねた状態である。第３の保管状態は，容器本体４と上枠体６とを，図１のように取り付けるのではなく，上枠体６のみ上下逆さにして重ねた状態である。以下，順に説明する。
【００２４】
図４に，第１の保管状態を示す。図４に示される状態では，２個の容器本体４同士が積み重ねられている。図４はこの積み重ね状態を垂直な面で切断して示している。図４に示される状態では，下の容器本体４の箱体部１１の中に上の容器本体４の箱体部１１が入り込んでいる。また，下の容器本体４の外壁部１３の外側に上の容器本体４の外壁部１３が覆い被さっている。したがって，上の容器本体４における外壁部１３と箱体部１１との間に，下の容器本体４の本体フランジ面１７が入り込んでいる。このようなことが可能なのは，前述のように箱体部１１および外壁部１３がそれぞれの向きの斜面体形状とされているからである。なお，３個以上の容器本体４を積み重ねることもできる。
【００２５】
図４に示されるように本形態の容器本体４には，外壁部１３と箱体部１１との間に，第１ストッパリブ４５が設けられている。第１ストッパリブ４５は，縦方向の平板リブ状の部位であり，その上端は本体フランジ面１７の裏面に繋がっている。第１ストッパリブ４５における上端以外の箇所は，外壁部１３の内面に繋がっている。
【００２６】
図４の積み重ね状態では，上の容器本体４の第１ストッパリブ４５の下端が，下の容器本体４の本体フランジ面１７に当接している。この当接により，図４の積み重ね状態における上下の容器本体４同士の間隔が規定されている。そしてこのことにより，上下の容器本体４間で箱体部１１同士や外壁部１３同士が密着しないようになっている。つまり図４の積み重ね状態においては，下の箱体部１１の内面と上の箱体部１１の外面との間に隙間が残されており，密着していない。同様に下の外壁部１３の外面と上の外壁部１３の内面との間にも隙間が残されており，密着していない。
【００２７】
このため，図４の状態で長期間放置しても，容器本体４同士が貼り付いてしまい外しにくくなることはない。もし第１ストッパリブ４５が設けられていないと，図４のように積み重ねた際に，箱体部１１同士や外壁部１３同士がいずれも密着することになる。その状態で長期間放置すると，容器本体同士の貼り付きにより外れにくくなることがある。特に多数個の容器本体を積み重ねた場合の下の方の階層においては，荷重が掛かることもあり貼り付きが生じやすい。しかし本形態では，第１ストッパリブ４５が設けられているのでそのような弊害はない。
【００２８】
２個の容器本体４を図４の積み重ね状態にするには，一方の容器本体４の上方にもう一方の容器本体４が位置する状況とし，その状況から，上方の容器本体４を下降させていけばよい。この作業は手作業で十分可能である。このとき，上下の容器本体４の箱体部１１同士や外壁部１３同士が密着するよりも前に，上の容器本体４の第１ストッパリブ４５の下端が，下の容器本体４の本体フランジ面１７に当接する。このためそれ以上は上方の容器本体４が下降することはない。したがって，箱体部１１同士や外壁部１３同士が密着する状況には至らない。図４の積み重ね状態を解除するには，上段の容器本体４をそのまま持ち上げるだけでよい。この作業も手作業で十分可能である。また，図４に示される容器本体４の積み重ね状態の，切断していない本来の正面図を図５に示す。
【００２９】
次に，第２の保管状態を図６に示す。図６に示される状態では，２個の上枠体６同士が積み重ねられている。ただし各上枠体６はいずも，図１や図３中に描かれている状態に対して上下逆さにされている。図６はこの積み重ね状態を垂直な面で切断して示している。図６に示される状態では，下の上枠体６の角筒状の内部空間の中に上の上枠体６が入り込んでいる。このような積み重ねが可能なのはむろん，前述のように斜面体形状とされているからである。なお，３個以上の上枠体６を積み重ねることもできる。
【００３０】
図６に示されるように本形態の上枠体６には，外面側に第２ストッパリブ４６が設けられている。第２ストッパリブ４６は，縦方向の平板リブ状の部位であり，その上端（図６中においては下端）はトップ当接面部２５の裏面に繋がっている。第２ストッパリブ４６における上端以外の箇所は，上枠体６の外面に繋がっている。また，第２ストッパリブ４６は，上窓３１の上辺（図６中では下辺）の両端にそれぞれ設けられている。そして，それら２つの第２ストッパリブ４６を結んで，持ち手リブ４７が設けられている。持ち手リブ４７は，上窓３１の上辺（図６中では下辺）に沿って，そこから外向きに延びて形成されている部位である。
【００３１】
図６の積み重ね状態では，上の上枠体６のトップ当接面部２５（図６中では下向き）が，下の上枠体６の第２ストッパリブ４６の下端（図６中においては上端）に当接している。この当接により，図６の積み重ね状態における上下の上枠体６同士の間隔が規定されている。そしてこのことにより，上下の上枠体６同士が密着しないようになっている。つまり図６の積み重ね状態においては，下の上枠体６の外面と上の上枠体６の内面との間に隙間が残されており，密着していない。
【００３２】
このため，図６の状態で長期間放置しても，上枠体６同士が貼り付いてしまい外しにくくなることはない。もし第２ストッパリブ４６が設けられていないと，図６のように積み重ねた際に，上枠体同士が密着することになる。その状態で長期間放置すると，上枠体同士の貼り付きにより外れにくくなることがある。特に多数個の上枠体を積み重ねた場合の下の方の階層においては，荷重が掛かることもあり貼り付きが生じやすい。しかし本形態では，第２ストッパリブ４６が設けられているのでそのような弊害はない。
【００３３】
２個の上枠体６を図６の積み重ね状態にするには，逆さにした一方の上枠体６の上方に，これまた逆さにしたもう一方の上枠体６が位置する状況とし，その状況から，上方の上枠体６を下降させていけばよい。このとき，上下の上枠体６同士が密着するよりも前に，上の上枠体６のトップ当接面部２５下の上枠体６の第２ストッパリブ４６の下端（図６中においては上端）に当接する。このためそれ以上は上方の上枠体６が下降することはない。したがって，上枠体６同士が密着する状況には至らない。図６の積み重ね状態を解除するには，上段の上枠体６をそのまま持ち上げるだけでよい。これらの作業は，持ち手リブ４７に手を掛けながら容易に行うことができる。また，図６に示される上枠体６の積み重ね状態の，切断していない本来の正面図を図７に示す。
【００３４】
図６，図７の積み重ね状態ではまた，係止部３５が上向きに突出した状況となっている。これは前述のように，この状態では各上枠体６が上下逆さとされているからである。すなわちこの状態での接地箇所は，下段の上枠体６のトップ当接面部２５である。係止部３５を接地箇所とすることは好ましくないので，各上枠体６を上下逆さとしたのである。係止部３５は，多数の上枠体６の荷重を受けることを前提とする部位ではないからである。
【００３５】
ただし，上枠体６同士の積み重ね自体は正立状態でも可能である。例えば，図１中に示されるように容器本体４の上部に取り付けられている上枠体６の上側に，さらに上枠体６を積み重ねていくことで，上枠体６同士の正立状態での積み重ねを，係止部３５に過度の荷重を掛けることなく実現することができる。また，単体としての上枠体６が，係止部３５が下向きに突出しない形状のものである場合にも，正立状態での積み重ねに特段の不都合はない。それらの場合でも前述の第２ストッパリブ４６による上枠体６同士の密着防止機能は有効である。
【００３６】
多数の容器６０を使用しない状態で保管する場合には，容器本体４同士，上枠体６同士で図４，図６の積み重ね状態とすることができる。これにより，各容器６０を図１の使用状態としたまま保管するよりも，大幅に保管スペースを節約することができる。
【００３７】
なお，第１ストッパリブ４５および第２ストッパリブ４６は，図１の本来の使用状況では，部材間の密着防止機能を別段果たしてはいない。しかしこの状態でも第１ストッパリブ４５および第２ストッパリブ４６は，容器本体４および上枠体６における取り付け箇所付近の剛性をある程度向上させる効果を奏している。また，上窓３１の上辺と２箇所の第２ストッパリブ４６と持ち手リブ４７との上記の位置関係は，持ち手リブ４７の掴みやすさや上枠体６における該当箇所の強度上有利な位置関係である。
【００３８】
続いて，第３の保管状態を説明する。第３の保管状態にはさらに，第１パターンと第２パターンとがある。図８に，第３の保管状態の第１パターンを示す。図８に示される状態では，容器本体４の上に，上枠体６が上下逆さにして被せられている。図８はこの重ね状態を垂直な面で切断して示している。図８に示される状態では，容器本体４の本体フランジ面１７に，上枠体６のフランジ部２８の上面（図８中では下向き）の上に重なって位置している。
【００３９】
なお，図８中にて「１７」，「２８」の符号で指し示している位置は，図２，図３にて同じ符号で指し示している位置の裏面に相当する位置であることに注意されたい。図８ではまた，下の容器本体４の外壁部１３の外側に，上の上枠体６が覆い被せられた形となっている。また，図８では，図４に示した第１ストッパリブ４５が現れていないが，これは図４と図８とで切断位置が異なるためである。
【００４０】
この図８の状態においても，下の容器本体４の外壁部１３の外面と上の上枠体６の内面とが密着しないようになっている。具体的には，上枠体６の内法（うちのり）寸法が，外壁部１３の外形寸法に対して余裕のある設定となっている。これにより図８の状態にて，外壁部１３の外面と上の上枠体６の内面との間に隙間ができるようにされている。このため図８の状態でも，容器本体４と上枠体６との貼り付きが防止されている。
【００４１】
本形態ではさらに，この図８の状態において，下の容器本体４に対して上の上枠体６がガタつかないようになっている。このことの説明のため，容器本体４について図９によりさらに述べる。図９は，正立状態の上枠体６を縦に半分に切断した状態の斜視図である。図９においては，下壁部３２や中壁部３３，上壁部３４の主として裏面（内面）が見えている。図９に示されるように，上枠体６のフランジ部２８における辺部の中腹部位には，開口状の貫通部３６が形成されている。そして，フランジ部２８における貫通部３６の内側，すなわち開口部２７に臨む内縁の部位に突出部４８が形成されている。突出部４８は，フランジ部２８に対して図９中で上向きに突出した形状の部分である。突出量は２〜３ｍｍ程度で十分である。
【００４２】
図８にも突出部４８が現れている。図８中における突出部４８は，上枠体６のフランジ部２８に対して下向きとなっている。このため，下の容器本体４の箱体部１１の内部に少し進入している。これにより容器本体４に対する上枠体６の水平移動が規制されている。こうして，下の容器本体４に対する上の上枠体６のガタつきが抑制されている。
【００４３】
図８に示される重ね状態の，切断していない本来の正面図を図１０に示す。図８および図１０の状態でも，図１に示した使用状態に比べれば全高が小さい。このため，１つの容器６０を保管する場合には，図１の状態のままよりは図８，図１０の状態にした方が保管スペースが少なくて済む。なお，図８，図１０の状態での接地箇所は，容器本体４の外壁部１３の底部１４である。
【００４４】
図８，図１０に示した状態をさらに２段積み重ねた状態（切断なし）の斜視図を図１１に示す。本形態では，図１１のように複数段積んでいる場合でも，全体の積層状態は安定している。前述の突出部４８により，容器本体４に対するその上の上枠体６のガタつきが規制されているからである。
【００４５】
続いて図１２により，第３の保管状態の第２パターンを説明する。図１２の第２パターンは，図８の第１パターンに対して，容器本体４と上枠体６とを上下に入れ替えたものである。すなわち図１２では，上枠体６が下にあり容器本体４が上にある。むろん図１２の状態でも，上枠体６は上下逆さにされた状態にある。図１２はこの重ね状態を垂直な面で切断して示している。
【００４６】
図１２に示される状態では，上の容器本体４の外壁部１３の底部１４が，下の上枠体６の第２ストッパリブ４６の下端（図１２中においては上端）に当接している。この当接により，図１２の重ね状態における上の容器本体４と下の上枠体６との間隔が規定されている。そしてこのことにより，下の上枠体６の外面と上の容器本体４の外壁部１３の内面とが密着しないようになっている。このため図１２の状態でも，容器本体４と上枠体６との間に隙間が確保され，貼り付きが防止されている。
【００４７】
図１２の状態でも，図１の使用状態に比べれば全高が小さい。図１２の状態を前述の第１パターン（図８）と比較すると，やや全高が高く，省保管スペースという点ではやや不利である。しかし図１２の状態では，図８の状態と異なり，係止部３５が突出していない。この点では図８の状態より図１２の状態の方が有利である。係止部３５は上枠体６の中では比較的脆弱な部位であるためである。図１２に示した状態そのものでは，前述の突出部４８によるガタつき防止機能は奏されない。しかし，図１２の重ね状態をさらに多段積みすることも可能であり，その場合には突出部４８によるガタつき防止機能が発揮される。図１２に示される重ね状態の，切断していない本来の正面図を図１３に示す。
【００４８】
以上詳細に説明したように本実施の形態によれば，容器本体４に設けた第１ストッパリブ４５や上枠体６に設けた第２ストッパリブ４６により，保管のための重ね状態での部材同士の密着を防止するようにしている。これにより，容器本体４や上枠体６を保管状態で長期間放置しても，容器本体４や上枠体６の保管状態からの取り出しが容易にできるようにしている。こうして，長期間の保管後であってもその後の再使用に支障が生じない容器６０が実現されている。
【００４９】
なお，本実施の形態は単なる例示にすぎず，本発明を何ら限定するものではない。したがって本発明は当然に，その要旨を逸脱しない範囲内で種々の改良，変形が可能である。例えば，前記形態では容器６０を上方から見た形状を略正方形状であることとしたが，長方形状でも他の多角形状でもよいし，円形状や楕円形状でもよい。また，第２ストッパリブ４６の位置は，前述のように持ち手リブ４７と繋がる位置に限定されない。上枠体６におけるコーナー部の外面位置に第２ストッパリブ４６が設けられていてもよい。
【００５０】
また，第１ストッパリブ４５について前記形態では，本体フランジ面１７の裏面と外壁部１３の内面とにわたって繋がっているとした。しかし，第１ストッパリブ４５は，本体フランジ面１７の裏面と，外壁部１３の内面と，箱体部１１の外面とのうち少なくとも１つと繋がっていればよい。ただし，第１ストッパリブ４５の強度上という観点からは，前記形態のようになっているか，または，本体フランジ面１７の裏面と箱体部１１の外面とにわたって繋がっている方が有利である。本体フランジ面１７の裏面と外壁部１３の内面と箱体部１１の外面とのいずれ対しても繋がっている構成であってもよい。
【符号の説明】
【００５１】
４    容器本体
６    上枠体
１１  箱体部
１３  外壁部
１４  底部
１６  開口部
１７  本体フランジ面（本体当接面部）
１９  上窓
２２  垂れ部
２５  トップ当接面部（上側当接面部）
２６  開口部
２７  開口部
２８  フランジ部
３２  下壁部
４５  第１ストッパリブ
４６  第２ストッパリブ
４７  持ち手リブ
４８  突出部
６０  容器
【図１】
2020029271.tif 000003
【図２】
2020029271.tif 000004
【図３】
2020029271.tif 000005
【図４】
2020029271.tif 000006
【図５】
2020029271.tif 000007
【図６】
2020029271.tif 000008
【図７】
2020029271.tif 000009
【図８】
2020029271.tif 000010
【図９】
2020029271.tif 000011
【図１０】
2020029271.tif 000012
【図１１】
2020029271.tif 000013
【図１２】
2020029271.tif 000014
【図１３】
2020029271.tif 000015